(57)【要約】【課題】原稿読み取り装置本体又は電子装置本体に対して一時的に固定された走査部又は移動部の固定を解除し忘れにくい原稿読み取り装置、画像形成装置、電子装置、原稿読み取り装置の出荷方法、画像形成装置の出荷方法、及び電子装置の出荷方法を提供する。【解決手段】画像形成装置１０は、光学読み取り装置本体５０９と、光学読み取り装置本体５０９内で移動して原稿を走査するフルレートキャリッジ５３２と、画像形成装置本体１２外に設けられ、電力供給に用いられるプラグ４０４とを有し、プラグ４０４は、光学読み取り装置本体５０９に対して、フルレートキャリッジ５３２を一時的に固定する固定部として用いられる。【選択図】図９
2009217125.tif 000002
【特許請求の範囲】
【請求項１】
原稿読み取り装置本体と、
前記原稿読み取り装置本体内に設けられ、前記原稿読み取り装置本体内で移動して原稿を走査する走査部と、
前記原稿読み取り装置本体外に設けられ、外部電源に接続され、電力供給に用いられる電力供給部と、
を有し、
前記電力供給部は、前記原稿読み取り装置本体に対して前記走査部を一時的に固定する固定部として用いられる原稿読み取り装置。
【請求項２】
前記電力供給部は、前記原稿読み取り装置本体の側板を貫通し、前記走査部に挿入される挿入部を有する請求項１記載の原稿読み取り装置。
【請求項３】
前記電力供給部は、前記走査部が有する係合部に係合可能な被係合部を有する請求項１又は２記載の原稿読み取り装置。
【請求項４】
原稿読み取り装置と、
前記原稿読み取り装置で読み取った原稿に基づき画像形成を行う画像形成部と、
を有し、
前記原稿読み取り装置は、
原稿読み取り装置本体と、
前記原稿読み取り装置本体内に設けられ、前記原稿読み取り装置本体内で移動して原稿を走査する走査部と、
前記原稿読み取り装置本体外に設けられ、外部電源に接続され電力供給に用いられる電力供給部と、
を有し、
前記電力供給部は、前記原稿読み取り装置本体に対して、前記走査部を一時的に固定する固定部として用いられる画像形成装置。
【請求項５】
電子装置本体と、
前記電子装置本体に対して移動可能に設けられた移動部と、
前記電子装置本体外に設けられ、外部電源に接続され電力供給に用いられる電力供給部と、
を有し
前記電力供給部は、前記電子装置本体に対して、前記移動部を一時的に固定する固定部として用いられる電子装置。
【請求項６】
原稿読み取り装置本体内に設けられ、前記原稿読み取り装置本体内で移動して原稿を走査する走査部を、前記原稿読み取り装置本体外に設けられ、外部電源に接続され電力供給に用いられる電力供給部を用いて、前記原稿読み取り装置本体に対して一時的に固定して出荷する原稿読み取り装置の出荷方法。
【請求項７】
画像形成部で画像形成がなされる原稿を読み取る原稿読み取り装置の原稿読み取り装置本体内に設けられ、前記原稿読み取り装置本体内で移動して原稿を走査する走査部を、前記原稿読み取り装置本体外に設けられ、外部電源に接続され電力供給に用いられる電力供給部を用いて前記原稿読み取り装置本体に対して一時的に固定して出荷する画像形成装置の出荷方法。
【請求項８】
電子装置本体に対して移動可能に設けられた移動部を、前記電子装置本体外に設けられ、外部電源に接続され電力供給に用いられる電力供給部を用いて、前記電子装置本体に対して一時的に固定して出荷する電子装置の出荷方法。
【発明の詳細な説明】
【技術分野】
【０００１】
本発明は、原稿読み取り装置、画像形成装置、電子装置、原稿読み取り装置の出荷方法、画像形成装置の出荷方法、及び電子装置の出荷方法に関する。
【背景技術】
【０００２】
コンタクトガラスに載置された原稿を押さえる圧板と、前記コンタクトガラスに沿って移動する走査ユニットを備え前記原稿の画像を読み取る画像読み取り部とを有する画像読み取り装置において、前記走査ユニットを固定するロックピンに連結されて前記圧板上に架け渡されたシール部材を備える画像読み取り装置が知られている（特許文献１）。
【０００３】
【特許文献１】特開平１１−６４９９９号公報
【発明の開示】
【発明が解決しようとする課題】
【０００４】
本発明の目的は、原稿読み取り装置本体又は電子装置本体に対して一時的に固定された走査部又は移動部の固定を解除し忘れにくい原稿読み取り装置、画像形成装置、電子装置、原稿読み取り装置の出荷方法、画像形成装置の出荷方法、及び電子装置の出荷方法を提供することにある。
【課題を解決するための手段】
【０００５】
請求項１に係る本発明は、原稿読み取り装置本体と、前記原稿読み取り装置本体内に設けられ、前記原稿読み取り装置本体内で移動して原稿を走査する走査部と、前記原稿読み取り装置本体外に設けられ、外部電源に接続され、電力供給に用いられる電力供給部と、を有し、前記電力供給部は、前記原稿読み取り装置本体に対して前記走査部を一時的に固定する固定部として用いられる原稿読み取り装置である。
【０００６】
請求項２に係る本発明は、前記電力供給部は、前記原稿読み取り装置本体の側板を貫通し、前記走査部に挿入される挿入部を有する請求項１記載の原稿読み取り装置である。
【０００７】
請求項３に係る本発明は、前記電力供給部は、前記走査部が有する係合部に係合可能な被係合部を有する請求項１又は２記載の原稿読み取り装置である。
【０００８】
請求項４に係る本発明は、原稿読み取り装置と、前記原稿読み取り装置で読み取った原稿に基づき画像形成を行う画像形成部と、を有し、前記原稿読み取り装置は、原稿読み取り装置本体と、前記原稿読み取り装置本体内に設けられ、前記原稿読み取り装置本体内で移動して原稿を走査する走査部と、前記原稿読み取り装置本体外に設けられ、外部電源に接続され電力供給に用いられる電力供給部と、を有し、前記電力供給部は、前記原稿読み取り装置本体に対して、前記走査部を一時的に固定する固定部として用いられる画像形成装置である。
【０００９】
請求項５に係る本発明は、電子装置本体と、前記電子装置本体に対して移動可能に設けられた移動部と、前記電子装置本体外に設けられ、外部電源に接続され電力供給に用いられる電力供給部と、を有し前記電力供給部は、前記電子装置本体に対して、前記移動部を一時的に固定する固定部として用いられる電子装置である。
【００１０】
請求項６に係る本発明は、原稿読み取り装置本体内に設けられ、前記原稿読み取り装置本体内で移動して原稿を走査する走査部を、前記原稿読み取り装置本体外に設けられ、外部電源に接続され電力供給に用いられる電力供給部を用いて、前記原稿読み取り装置本体に対して一時的に固定して出荷する原稿読み取り装置の出荷方法である。
【００１１】
請求項７に係る本発明は、画像形成部で画像形成がなされる原稿を読み取る原稿読み取り装置の原稿読み取り装置本体内に設けられ、前記原稿読み取り装置本体内で移動して原稿を走査する走査部を、前記原稿読み取り装置本体外に設けられ、外部電源に接続され電力供給に用いられる電力供給部を用いて前記原稿読み取り装置本体に対して一時的に固定して出荷する画像形成装置の出荷方法である。
【００１２】
請求項８に係る本発明は、電子装置本体に対して移動可能に設けられた移動部を、前記電子装置本体外に設けられ、外部電源に接続され電力供給に用いられる電力供給部を用いて、前記電子装置本体に対して一時的に固定して出荷する電子装置の出荷方法である。
【発明の効果】
【００１３】
請求項１に係る本発明によれば、原稿読み取り装置本体に対して一時的に固定された走査部の固定を解除し忘れにくい原稿読み取り装置を提供することができる。
【００１４】
請求項２に係る本発明によれば、請求項１に係る本発明の奏する効果に加えて、簡単な操作で、原稿読み取り装置本体に対する走査部の固定と、固定の解除とを行うことができる原稿読み取り装置を提供することができる。
【００１５】
請求項３に係る本発明によれば、請求項１又は２記載の本発明が奏する効果に加えて、操作者によって固定の解除がなされる場合以外には、原稿読み取り装置本体に対する走査部の固定が解除されにくい原稿読み取り装置を提供することができる。
【００１６】
請求項４に係る本発明によれば、原稿読み取り装置本体に対して一時的に固定された走査部の固定を解除し忘れにくい画像形成装置を提供することができる。
【００１７】
請求項５に係る本発明によれば、電子装置本体に対して一時的に固定された移動部の固定を解除し忘れにくい電子装置を提供することができる。
【００１８】
請求項６に係る本発明によれば、原稿読み取り装置本体に対して一時的に固定された走査部の固定を解除し忘れにくい原稿読み取り装置の出荷方法を提供することができる。
【００１９】
請求項７に係る本発明によれば、原稿読み取り装置本体に対して一時的に固定された走査部の固定を解除し忘れにくい画像形成装置の出荷方法を提供することができる。
【００２０】
請求項８に係る本発明によれば、電子装置本体に対して一時的に固定された移動部の固定を解除し忘れにくい電子装置の出荷方法を提供することができる。
【発明を実施するための最良の形態】
【００２１】
次に本発明の実施形態を図面に基づいて説明する。
図１には、本発明の第１の実施形態に係る画像形成装置１０が示されている。
図１に示されるように、画像形成装置１０は、電子装置としても用いられ、画像形成装置本体１２を有し、画像形成装置本体１２の、例えば前面に、操作部として用いられる操作パネル４２と、表示部として用いられる表示パネル４０とが装着されている。また、画像形成装置本体１２の上部には、原稿読み取り装置として用いられるスキャナ５００が支柱５０２を用いて、画像形成装置本体１２との間に一定の間隔ができるように取り付けられている。
【００２２】
図２には、画像形成装置本体１２の左側面側の断面が示されている。
図２に示されるように、画像形成装置本体１２には、画像形成装置本体１２に対して開閉可能に開閉部３０が取り付けられている。また、画像形成装置本体１２内には、画像形成部１００と、画像形成部１００に用紙を供給する用紙供給部として用いられる給紙装置２００と、給紙装置２００から画像形成部１００へ用紙を搬送し、画像形成部１００からさらに下流側に向けて用紙を搬送する搬送装置３００と、電源ユニット４００とが設けられている。
また、画像形成装置本体１２には、画像形成装置本体１２内から用紙を排出するための排出口２４が形成され、画像形成装置本体１２の上部は、排出口２４を介して用紙が排出される排出部２６として用いられる。
【００２３】
開閉部３０は、ヒンジ３２を用いて画像形成装置本体１２に取り付けられていて、ヒンジ３２を中心として回転するようにして、画像形成装置本体１２に対して開閉可能することができるようになっている。
【００２４】
画像形成部１００は、カラー画像を形成する電子写真方式のもので、画像形成装置本体１２に着脱可能に装着され、潜像像保持体として用いられる感光体１０４Ｙ、１０４Ｍ、１０４Ｃ、１０４Ｂをそれぞれ有する４個のプロセスカートリッジ１０６Ｙ、１０６Ｍ、１０６Ｃ、１０６Ｂを有する。プロセスカートリッジ１０６Ｙ、１０６Ｍ、１０６Ｃ、１０６Ｂの詳細については後述する。
【００２５】
また、画像形成部１００は、感光体１０４Ｙ、１０４Ｍ、１０４Ｃ、１０４Ｂに光により静電潜像を書き込む潜像形成手段として用いられる光書き込み装置（露光手段）１０８と、感光体１０４Ｙ、１０４Ｍ、１０４Ｃ、１０４Ｂに形成された現像剤像を、それぞれ用紙に転写し、転写手段として用いられる転写ロール１１０Ｙ、１１０Ｍ、１１０Ｃ、１１０Ｂと、転写ロール１１０Ｙ、１１０Ｍ、１１０Ｃ、１１０Ｂによって用紙に転写された現像剤像を用紙に定着させる定着装置１１２とを有する。
【００２６】
プロセスカートリッジ１０６Ｙはイエロー現像剤像の形成用であり、プロセスカートリッジ１０６Ｍはマゼンタ現像剤像の形成用であり、プロセスカートリッジ１０６Ｃはシアン現像剤像の形成用であり、プロセスカートリッジ１０６Ｂはブラック現像剤像の形成用である。プロセスカートリッジ１０６Ｙは、光書き込み装置１０８により感光体１０４Ｙに書き込まれた潜像を現像し、感光体１０４Ｙの表面にイエロー現像剤像を形成する。そして、プロセスカートリッジ１０６Ｙと同様に、プロセスカートリッジ１０６Ｍは感光体１０４Ｍの表面にマゼンタ現像剤像を、プロセスカートリッジ１０６Ｃは感光体１０４Ｃの表面にシアン現像剤像を、プロセスカートリッジ１０６Ｂは感光体１０４Ｂの表面にブラック現像剤像を形成する。
【００２７】
光書き込み装置１０８は、レーザー露光装置からなり、感光体１０４Ｙにイエロー画像に対応するレーザー光を、感光体１０４Ｍにマゼンタ画像に対応するレーザー光を、感光体１０４Ｃにシアン画像に対応するレーザー光を、感光体１０４Ｂにブラック画像に対応するレーザー光をそれぞれ発し、感光体１０４Ｙ、１０４Ｍ、１０４Ｃ、１０４Ｂにそれぞれ静電潜像を書き込む。
【００２８】
転写ロール１１０Ｙ、１１０Ｍ、１１０Ｃ、１１０Ｂには、それぞれ転写バイアスが印加されていて、感光体１０４Ｙ、１０４Ｍ、１０４Ｃ、１０４Ｂに形成された現像剤像を、搬送ベルト３３０によって搬送中の用紙へと順に転写し、用紙にイエロー、マゼンタ、シアン、ブラックの４色の現像剤像が重ねられたカラー現像剤像を形成する。
【００２９】
定着装置１１２は、例えば、加熱ロール１１２ａと加圧ロール１１２ｂとからなり、加熱ロール１１２ａと加圧ロール１１２ｂとの間を通過する用紙を加熱し加圧することで、用紙に現像剤像を定着させる。
【００３０】
給紙装置２００は、画像形成部１００に用紙を供給するために用いられ、例えばカセット等からなる用紙収納容器２０２を有する。用紙収納容器２０２には、内部に用紙が積層するように収納され、画像形成装置本体１２に対して、例えば前側に引き出し可能、又は取り外し可能となっている。
【００３１】
また、給紙装置２００は、用紙収納容器２０２から用紙を送り出し、送り出し手段として用いられるピックアップロール２０４と、ピックアップロール２０４に接触するように設けられ、用紙収納容器２０２からの用紙を捌き、複数枚の用紙が重なった状態で搬送されることを防止するリタードロール２０８とを有している。ピックアップロール２０４及びリタードロール２０８は、用紙収納容器２０２に装着され、用紙収納容器２０２と共に画像形成装置本体１２から引き出し可能、又は取り外し可能となっている。
【００３２】
搬送装置３００は、レジストロール３０４と、排出ロール３０６と、反転搬送装置３２０と、搬送ベルト３３０とを有する。
レジストロール３０４は、給紙装置２００から供給された用紙の斜行を補正するとともに、画像形成部１００で画像形成がなされるタイミングと合致するように、画像形成部１００に向けて用紙を供給するために用いられる。
【００３３】
排出ロール３０６は、正回転と逆回転とを切り替えることができるようになっていて、正回転することで、定着装置１１２で現像剤像の定着がなされた用紙を排出部２６に排出する。また、排出ロール３０６は、定着装置１１２側から搬送されてきた用紙の後端部付近を咥え込んだ状態で逆回転をすることで、用紙を後端部側から反転搬送装置３２０へと供給する。
【００３４】
反転搬送装置３２０は、排出ロール３０６から供給された一方の面に現像剤像が定着された用紙を反転させつつ、レジストロール３０４に向けて再び搬送するために用いられる。反転搬送装置３２０は、例えば用紙を案内する案内部材（不図示）等によって形成される反転搬送路３２２と、反転搬送路３２２に沿って設けられた、例えば２組の反転搬送ロール３２４とを有する。
【００３５】
搬送ベルト３３０は、感光体１０４Ｙ、１０４Ｍ、１０４Ｃ、１０４Ｂから転写された現像剤像、又は感光体１０４Ｙ、１０４Ｍ、１０４Ｃ、１０４Ｂから現像剤像が転写された用紙を搬送する搬送部材として用いられていて、この実施形態においては、感光体１０４Ｙ、１０４Ｍ、１０４Ｃ、１０４Ｂから現像剤像が転写された用紙を搬送する。搬送ベルト３３０は、例えば２個の支持ロール３３２、３３２によって、図２中に示す矢印方向に回転することができるように支持されている。
支持ロール３３２、３３２のうちの少なくとも１つが、搬送ベルト３３０に駆動を伝達する駆動ロールとして用いられ、この駆動ロールからの駆動伝達を受けて搬送ベルト３３０が回転駆動する。
【００３６】
電源ユニット４００は、スキャナ５００、画像形成部１００、給紙装置２００、搬送装置３００等に電力を供給するために用いられ、電源コード４０２を介してプラグ４０４が接続されている。電源コード４０２及びプラグ４０４は、画像形成装置本体１２及びスキャナ５００の本体の外に設けられ、外部電源に接続され、電力供給のために用いられる電力供給部として用いられる。
【００３７】
図３には、プロセスカートリッジ１０６が示されている。
プロセスカートリッジ１０６Ｙ、１０６Ｍ、１０６Ｃ、１０６Ｂ、感光体１０４Ｙ、１０４Ｍ、１０４Ｃ、１０４Ｂ、及び転写ロール１１０Ｙ、１１０Ｍ、１１０Ｃ、１１０Ｂは、形成する現像剤像の色は異なるものの構成は同じであるので、以下、プロセスカートリッジ１０６、感光体１０４、転写ロール１１０と総称する。
【００３８】
図３に示されるように、プロセスカートリッジ１０６は、プロセスカートリッジ本体１２２を有し、プロセスカートリッジ本体１２２内に、先述の感光体１０４と、感光体１０４を一様に帯電する帯電ロールを備えた帯電装置（帯電手段）１２４と、帯電装置１２４により帯電され、光書き込み装置１０８（図２参照）により感光体１０４に書き込まれた静電潜像を、現像剤で現像する現像装置１２６と、転写ロール１１０（図２参照）による現像剤像の転写がなされた後に、静電潜像が書き込まれた感光体１０４にイレース光を照射して除電する除電装置（除電手段）１２８と、感光体１０４に残留する現像剤をクリーニングブレード１３０により掻きとるクリーニング装置１３２とが設けられている。
【００３９】
プロセスカートリッジ本体１２２には、水平方向における一端部から他端部近傍まで至るレーザー光路１２２ａが形成されていて、光書き込み装置１０８からのレーザー光がレーザー光路１２２ａを通過して感光体１０４へと到達する。
【００４０】
現像装置１２６は、トナーとキャリアとからなる２成分現像剤を用いる２成分現像装置からなり、感光体１０４に形成された静電潜像を現像剤で現像する現像ロール１３４が配置された現像室１３６と、現像室１３６に現像剤を供給する第１の現像剤供給室１３８と、第１の現像剤供給室１３８に現像剤を供給する第２の現像剤供給室１４０とを有している。現像室１３６と第１の現像剤供給室１３８とはプロセスカートリッジ本体１２２に設けられた現像剤通路（不図示）で連通され、第１の現像剤供給室１３８と第２の現像剤供給室１４０とは現像剤搬送路（不図示）で連通されている。
【００４１】
現像室１３６は感光体１０４の下方に位置しており、先述の現像ロール１３４とあわせて、２個のオーガ１４４、１４４が設けられている。オーガ１４４、１４４は、現像室１３６内のトナーとキャリアとからなる現像剤を現像ロール１３４へと搬送し、オーガ１４４、１４４により搬送された現像剤を現像ロール１３４が感光体１０４へと供給し、感光体１０４に形成された潜像を現像して、感光体１０４の表面に現像剤像を形成する。
【００４２】
第１の現像剤供給室１３８は現像室１３６の側方に位置しており、第１現像剤供給室１３８内に貯蔵された現像剤が、現像室１３６との間の位置に設けられた現像剤搬送ロール１４６により先述の現像剤通路を介して現像室１３６へと供給される。また、第１の現像剤供給室１３８には、２つのスクレーパ１４８、１４８が設けられていて、スクレーパ１４８、１４８が第１の現像剤供給室１３８内の現像剤を撹拌するとともに、現像剤搬送ロール１４６の方向へ現像剤を搬送する。
【００４３】
第２の現像剤供給室１４０は、第１の現像剤供給室１３８の上方に位置しており、第２の現像剤供給室１４０内に貯蔵された現像剤が現像剤搬送路（不図示）を通過して第１の現像剤供給室１３８へ供給される。
【００４４】
図４には、プラグ４０４が示されている。
図４に示すように、プラグ４０４は、プラグ本体４０６を有し、プラグ本体４０６から突出するように、２つの電極板４０８、４０８が設けられている。電極板４０８、４０８は挿入部として用いられるとともに、被係合部として用いられる貫通孔４１０、４１０がそれぞれ形成されている。
【００４５】
図５及び図６には、スキャナ５００が示されている。
図５及び図６に示されるように、スキャナ５００は原稿送り装置５０４と、光学読み取り装置５０６とを有する。
原稿送り装置５０４は、原稿送り装置本体５０８を有し、原稿送り装置本体５０８の上部に読み取りがなされる原稿Ｄが積層されるように載置される載置部として用いられる載置板５０１と、原稿送り装置本体５０８から原稿Ｄが排出される原稿排出部５１２が取り付けられている。
【００４６】
原稿送り装置本体５０８内には、載置板５０１に載置された原稿Ｄを一枚ずつ呼び出す呼び出しロール５１４と、呼び出しロール５１４によって呼び出された原稿Ｄを搬送する例えば３個の搬送ロール５１６、５１８、５２０と、搬送ロール５１６、５１８、５２０によって搬送された原稿Ｄを、原稿送り装置本体５０８外に排出する排出ロール５２２とが設けられている。搬送ロール５１８と搬送ロール５２０との間では、原稿Ｄは、後述する原稿台５３０と平行な状態で搬送され、また、排出ロール５２２によって排出された原稿Ｄは原稿排出部５１２に収容される。
【００４７】
原稿送り装置５０４においては、載置板５０１にセットされた原稿Ｄを呼び出しロール５１４により呼び出した後、搬送ロール５１６、５１８、５２０によって搬送する。原稿Ｄの片面の画像を読み取る場合は、搬送ロール５１６、５１８、５２０によって順に原稿Ｄを搬送した後、排出ロール５２２によって原稿Ｄを原稿排出部５１２に排出する。
【００４８】
一方、原稿Ｄの両面の画像を読み取る場合は、搬送ロール５１６、５１８、５２０によって順に原稿Ｄを搬送した後、排出ロール５２２の正転／逆転動作と搬送路の切り替え動作により原稿Ｄを再び搬送ロール５１６に送り込み、搬送ロール５１８、５２０によって順に搬送し、原稿Ｄを表裏反転して原稿排出部５１２に排出する。これにより、搬送ロール５１８、５２０の間に設定された読み取り位置Ｐ１では、表裏が反転されたかたちで原稿Ｄが２回にわたって移動することになる。また、原稿排出部５１２に対しては、載置板５０１にセットされた状態と同じ向きで原稿Ｄが排出されることになる。
【００４９】
光学読み取り装置５０６は、原稿読取装置本体として用いられる光学読み取り装置本体５０９を有し、光学読み取り装置本体５０９の上部に原稿台５３０が取り付けられている。原稿台５３０は光を透過する材質である例えばガラス等からなり、原稿台５３０上には、被読み取り面を下向きにした状態でブック原稿、シート原稿などの静止原稿が載置され、原稿台５３０の上面を読み取り位置Ｐ２として静止原稿の画像が読み取られる。一方、先述のように原稿送り装置５０４によって搬送される移動原稿は、読み取り位置Ｐ１で読み取りがなされる。
【００５０】
原稿読み取り装置本体５０９内には、走査部として用いられるフルレートキャリッジ５３２と、ハーフレートキャリッジ５３４と、結像レンズ５３６と、ＣＣＤセンサ５３８とが装着されている。フルレートキャリッジ５３２には、ランプ５４０、リフレクタ５４４、及び第１ミラー５４６が搭載されている。また、ハーフレートキャリッジ５３４には、第２ミラー５４８及び第３ミラー５５０が搭載されている。
【００５１】
フルレートキャリッジ５３２とハーフレートキャリッジ５３４は、例えばステッピングモータからなる駆動源５２２により、副走査方向Ｙ（図５及び図６の左右方向）に移動する。その際、ハーフレートキャリッジ５３４はフルレートキャリッジ５３２の１／２の速度で移動する。
【００５２】
ランプ５４０は原稿面に光を照射するもので、リフレクタ５４４はランプ５４０の光を原稿面に集光させるものである。第１ミラー５４６は原稿面からの反射光を水平方向に反射し、第２ミラー５４８は第１ミラー５４６によって反射された光を垂直方向に反射するものである。また、第３ミラー５５０は第２ミラー５４８によって反射された光を水平方向に反射させ、結像レンズ５３６は第３ミラー５５０によって反射された光を所定の縮小倍率でＣＣＤセンサ５３８の受像面に結像させるものである。ＣＣＤセンサ５３８は、原稿の画像を読み取る際の読み取りセンサとなるもので、原稿からの反射光に応じた画像信号を生成する。ＣＣＤセンサ５３８としては、例えばフルカラー画像の読み取りへの対応として３ラインカラーＣＣＤなどが用いられる。
【００５３】
フルレートキャリッジ５３２は、案内部として用いられる案内部材５５４によって、副走査方向Ｙの移動が案内される。案内部材５５４は、両端部がそれぞれ光学読み取り装置本体５０９の前側の内側板と後ろ側の内側板とに装着されているとともに、フルレートキャリッジ５３２の筐体を貫通するようになっている。フルレートキャリッジ５３２は、案内部材５５４に案内されつつ、駆動源５２２からの駆動伝達を受けて、副走査方向Ｙに移動する。
【００５４】
図７及び図８には、光学読み取り装置５０６が示されている。
図７及び図８に示すように、光学読み取り装置本体５０９の左側面Ｄには、２つの挿入孔５６０、５６０が原稿読み取り装置本体５０９の外側から内側まで貫通するように形成されている。挿入孔５６０、５６０は、プラグ４０４（図４参照）の電極板４０８、４０８をそれぞれ挿入することができるようになっている。また、挿入孔５６０、５６０は、それぞれ略円弧形状を有し、挿入された電極板４０８、４０８が、挿入孔５６０、５６０に案内されつつ挿入孔５６０、５６０内を回転するようにして移動することができるようになっている。
【００５５】
図９には、光学読み取り装置本体５０９に、フルレートキャリッジ５３２が一時的に固定された様子が示されている。
図９に示されるように、フルレートキャリッジ５３２の案内部材５５４が貫通した側の側面である右側面と逆側の側面である左側面近傍部は、重力方向下側から支持部材５６２によって支持されている。フルレートキャリッジ５３２は、案内部材５５４に案内されるとともに、支持部材５６２の重力方向上向きの面の上を滑るようにして移動する。
【００５６】
フルレートキャリッジ５３２の本体には、電極板４０８、４０８が挿入される挿入孔５６４、５６４が形成されているとともに、フルレートキャリッジ５３２内には、例えば板バネ等の弾性体からなる固定部材５６６、５６６が設けられている。固定部材５６６、５６６には、係合部として用いられる凸部５７０、５７０がそれぞれ形成されている。また、固定部材５６６、５６６の凸部５７０、５７０が形成された側近傍には、圧接板５６８、５６８が設けられている。
【００５７】
フルレートキャリッジ５３２を光学読み取り装置本体５０９に一時的に固定するには、プラグ４０４を画像読み取り装置本体５０９に装着することにより、電極板４０８、４０８を、画像読み取り装置本体５０９の側板を貫通し、フルレートキャリッジ５３２に挿入された状態とする。この際、電極板４０８、４０８は、図８に二点鎖線で示される位置に挿入され、その後、プラグ４０４を図８に示す矢印方向に回転させることにより、電極板４０８、４０８は、図８に実線で示され、図９に示される位置に移動する。
【００５８】
電極板４０８、４０８が、図８に実線で示され、図９に示される位置に移動すると、電極板４０８、４０８は、固定部材５６６、５６６と圧接板５６８、５６８の間に挟みこまれるように挿入され、固定部材５６６、５６６の弾性によって圧接板５６８、５６８に圧接され、フルレートキャリッジ５３２が、原稿読み取り装置本体５０９に固定された状態となる。
【００５９】
フルレートキャリッジ５３２が、原稿読み取り装置本体５０９に固定された状態においては、凸部５７０、５７０が貫通孔４１０、４１０に係合し、操作者によってプラグ４０４を引き抜くとの操作がなされる場合以外には、原稿読み取り装置本体５０９に対するフルレートキャリッジ５３２の固定が解除されにくい状態となる。
【００６０】
図１０には、本発明の第２の実施形態に係る画像形成装置が有する光学読み取り装置本体５０９に、フルレートキャリッジ５３２が一時的に固定された様子が示されている。
先述の第１の実施形態においては、プラグ４０４の電極板４０８、４０８を、画像読み取り装置本体５０９の側板を貫通し、フルレートキャリッジ５３２に挿入された状態とすることによって、フルレートキャリッジ５３２が、原稿読み取り装置本体５０９に一時的に固定された。これに対して、この第２の実施形態においては、プラグ４０４のプラグ本体４０６の少なくも一部分を、画像読み取り装置本体５０９の側板を貫通し、フルレートキャリッジ５３２に挿入された状態とすることによって、フルレートキャリッジ５３２が、原稿読み取り装置本体５０９に一時的に固定される。
【００６１】
すなわち、プラグ本体４０６の電源コード４０２が設けられた側と逆側であって、電極板４０８、４０８が突出した側の部分が、挿入孔５６０に挿入され、さらに挿入孔５６４に挿入される。先述の第１の実施形態では、挿入孔５６０及び挿入孔５６４は、電極板４０８、４０８が挿入可能な形状に形成されていたが、この第２の実施形態においては、挿入孔５６０及び挿入孔５６４は、プラグ本体４０６が挿入可能な形状に形成されている。
【００６２】
図１１には、本発明の本発明の第３の実施形態に係る画像形成装置が有する光学読み取り装置本体５０９に、フルレートキャリッジ５３２が一時的に固定された様子が示されている。
先述の第１の実施形態においては、プラグ４０４の電極板４０８、４０８を、画像読み取り装置本体５０９の側板を貫通し、フルレートキャリッジ５３２に挿入された状態とすることによって、フルレートキャリッジ５３２が、原稿読み取り装置本体５０９に一時的に固定された。これに対して、この第３の実施形態においては、電源コード４０２を用いフルレートキャリッジ５３２が、原稿読み取り装置本体５０９に一時的に固定される。
【００６３】
すなわち、光学読み取り装置本体５０９に電源コード４０２を挿入可能な開放部５７６が形成されるとともに、フルレートキャリッジ５３２の本体の開放部５７６に対向する位置に、電源コード４０２を一時的に固定する固定部５７８が設けられていて、固定部５７８に電源コード４０２を固定することで、フルレートキャリッジ５３２が光学読み取り装置本体５０９に一時的に固定される。また、電源コード４０２を固定部５７８から取り外すことにより、フルレートキャリッジ５３２の光学読み取り装置本体５０９への一時的な固定が解除される。
【００６４】
図１２には、本発明の第４の実施形態に係る画像形成装置が有する電源コードが示されている。
先述の第１の実施形態においては、電源コード４０２の一端側にプラグ４０４が設けられ、他端側は画像形成装置本体１２内に設けられた電源ユニット４００に接続されていた。これに対して、この第２の実施形態で用いられる電源コードは、一端側にプラグ４０４が設けられているとともに、他端側にプラグ４０４が設けられている。プラグ４０４は、画像形成装置本体１２の外側から、電源ユニット４００に対して装着することができ、又、電源ユニット４００から取り外すことができるようになっている。
【００６５】
また、先述の第１の実施形態では、プラグ４０４は、２つの電極板４０８を有していた。これに対して、この第４の実施形態では、プラグ４０４は、２つの電極板４０８に加えて、接地のために用いられる１つの接地電極４１２を有している。
【００６６】
図１３には、本発明の第４の実施形態に係る画像形成装置が有する光学読み取り装置本体５０９に、フルレートキャリッジ５３２が一時的に固定された様子が示されている。
先述の第１の実施形態においては、プラグ４０４の電極板４０８、４０８を、画像読み取り装置本体５０９の側板を貫通し、フルレートキャリッジ５３２に挿入された状態とすることによって、フルレートキャリッジ５３２が、原稿読み取り装置本体５０９に一時的に固定された。これに対して、この第４の実施形態においては、電極板４０８、４０８とあわせて、接地電極４１２を画像読み取り装置本体５０９の側板を貫通し、フルレートキャリッジ５３２に挿入された状態とすることによって、フルレートキャリッジ５３２が、原稿読み取り装置本体５０９に一時的に固定されている。
【００６７】
また、先述の第１の実施形態では、電極板４０８、４０８が、固定部材５６６、５６６と圧接板５６８、５６８の間に挟みこまれるように挿入され、固定部材５６６、５６６の弾性によって圧接板５６８、５６８に圧接され、フルレートキャリッジ５３２が、原稿読み取り装置本体５０９に固定された状態とされた。これに対して、この第４の実施形態では、接地電極４１２が、固定部材５６６と圧接板５６８の間に挟みこまれるように挿入され、固定部材５６６の弾性によって圧接板５６８に圧接され、フルレートキャリッジ５３２が、原稿読み取り装置本体５０９に固定された状態となる。
【００６８】
図１４及び図１５には、本発明の第５の実施形態に係る画像形成装置が有する光学読み取り装置本体５０９に、フルレートキャリッジ５３２が一時的に固定される様子が示されている。
図１４及び図１５に示されるように、光学読み取り装置本体５０９には、プラグ４０４が装着される装着部材４３０が光学読み取り装置本体５０９に対して回転することができるように取り付けられている。装着部材４３０は装着部材本体４３２を有し、装着部材本体４３２には、フルレートキャリッジ５３２側に突出するように設けられたＬ字形状の固定部４３４が取り付けられている。
【００６９】
また、装着部材本体４３２には、装着部材本体４３２の表面から突出するように、例えば樹脂や金属等の弾性体からなる係合部４３６が設けられている。係合部４３６には、電極板４０８に形成された貫通孔４１０に係合可能な凸部４４０が形成されている。また、装着部材本体４３２には、電極板４０８、４０８が挿入される凹部４５０、４５０が形成されている。
【００７０】
この第５の実施形態においては、フルレートキャリッジ５３２の本体に側板から突出するように突出板４４４が取り付けられている。突出板４４４の例えば上向きの面には、固定部４３４の先端部が挿入され、係合可能な凹部４４６が形成されている。
【００７１】
また、この第５の実施形態においては、光学読み取り装置本体５０９に、係合部４３６を装着部材本体４３２の内側へ押し込むように押圧する押圧部材４５２が取り付けられている。
【００７２】
この第５の実施形態において、フルレートキャリッジ５３２を光学読み取り装置本体５０９に一時的に固定するには、図１４（ａ）に示されるように、電極板４０８、４０８が凹部４５０、４５０に挿入されるように、プラグ４０４を装着部材４３０に対して装着し、図１４（ｂ）に示したように、プラグ４０４と装着部材４３０とを一体として光学読み取り装置本体５０９に対して回転させる。
【００７３】
装着部材４３０が回転することに伴い、固定部４３４も回転をし、図１５（ｃ）に示されるように固定部４３４の先端部が凹部４４６に挿入され、凹部４４６に係合される。そして、固定部４３４の先端部が凹部４４６に係合することで、フルレートキャリッジ５３２が光学読み取り装置本体５０９に一時的に固定される。
【００７４】
図１６には、本発明の第１乃至第５のいずれかの実施形態に係る画像形成装置１０が出荷される様子が説明されている。
画像形成装置本体１２が出荷される際には、図１６（ａ）に示されるように、プラグ４０４を用いてフルレートキャリッジ５３２を光学読み取り装置本体５０９に一時的に固定した状態で、画像形成装置１０を梱包用の梱包ケース６００に緩衝材６０２等を用いて梱包する。
【００７５】
出荷がなされた画像形成装置１０は、図１６（ｂ）に示されるように、使用に先立って梱包が解かれる。
【００７６】
そして梱包から解かれた画像形成装置１０は、使用に先立ち、プラグ４０４が、例えば商業電源等の外部電源に接続される。この際、プラグ４０４又は電源コード４０２が、フルレートキャリッジ５３２から取り外されるため、フルレートキャリッジ５３２の光学読み取り装置本体５３２に対する一時的な接続が解除され、フルレートキャリッジ５３２は、光学読み取り装置本体５０９内を移動可能な状態となる。
【産業上の利用可能性】
【００７７】
以上述べたように、本発明は、スキャナ等の原稿読み取り装置、プリンタ、ファクシミリ、複写機等の画像形成装置、及び電子装置と、原稿読み取り装置を出荷する出荷方法、画像形成装置を出荷する出荷方法、及び電子装置の出荷方法に利用することができる。
【図面の簡単な説明】
【００７８】
【図１】本発明の第１の実施形態に係る画像形成装置を示す斜視図である。
【図２】本発明の第１の実施形態に係る画像形成装置を示す側面図である。
【図３】本発明の第１の実施形態に係る画像形成装置が有するプロセスカートリッジを示す側面図である。
【図４】本発明の第１の実施形態に係る画像形成装置が有するプラグを示す斜視図である。
【図５】本発明の第１の実施形態に係る原稿読み取り装置の断面を示し、図１におけるＡ−Ａ線を含む面の断面を示す断面図である。
【図６】本発明の第１の実施形態に係る原稿読み取り装置の断面を示し、図１におけるＢ−Ｂ線を含む面の断面を示す断面図である。
【図７】本発明の第１の実施形態に係る原稿読み取り装置の要部を示す斜視図である。
【図８】本発明の第１の実施形態に係る原稿読み取り装置の図７における面Ｄを示す側面図である。
【図９】本発明の第１の実施形態に係る原稿読み取り装置を示し、図１におけるＣ−Ｃ線を含む面の断面を示す断面図である。
【図１０】本発明の第２の実施形態に係る原稿読み取り装置を示し、図１におけるＣ−Ｃ線を含む面に相当する面の断面を示す断面図である。
【図１１】本発明の第３の実施形態に係る原稿読み取り装置を示し、図１におけるＣ−Ｃ線を含む面に相当する面の断面を示す断面図である。
【図１２】本発明の第４の実施形態に係る画像形成装置が有する電源コードを示す斜視図である。
【図１３】本発明の第４の実施形態に係る原稿読み取り装置を示し、図１におけるＣ−Ｃ線を含む面に相当する面の断面を示す断面図である。
【図１４】本発明の第５の実施形態に係る原稿読み取り装置を示し、図１におけるＣ−Ｃ線を含む面に相当する面の断面を示す断面図である。
【図１５】本発明の第５の実施形態に係る原稿読み取り装置で、走査部が原稿読み取り装置本体に一時的に固定される工程を説明する説明図である。
【図１６】本発明の第１乃至第５のいずれかの実施形態に係る画像形成装置が、梱包され、出荷された後、設置される手順を説明する説明図である。
【符号の説明】
【００７９】
１０      画像形成装置
１００    画像形成部
４００    電源ユニット
４０２    電源コード
４０４    プラグ
４０６    プラグ本体
４０８    電極板
４１０    貫通孔
４１２    接地電極
４３０    装着部材
４３６    係合部
４４０    凸部
４４４    突出板
５００    スキャナ
５０６    光学読み取り装置
５０８    原稿送り装置本体
５０９    光学読み取り装置本体
５２２    駆動源
５３２    フルレートキャリッジ
５６６      固定部材
５７０      凸部
【図１】
2009217125.tif 000003
【図２】
2009217125.tif 000004
【図３】
2009217125.tif 000005
【図４】
2009217125.tif 000006
【図５】
2009217125.tif 000007
【図６】
2009217125.tif 000008
【図７】
2009217125.tif 000009
【図８】
2009217125.tif 000010
【図９】
2009217125.tif 000011
【図１０】
2009217125.tif 000012
【図１１】
2009217125.tif 000013
【図１２】
2009217125.tif 000014
【図１３】
2009217125.tif 000015
【図１４】
2009217125.tif 000016
【図１５】
2009217125.tif 000017
【図１６】
2009217125.tif 000018